【事件の表示】
　平成　９年特許願第３４８０５１号「画像読取装置および画像読取方法」拒絶査定不服審判事件〔平成１１年　７月　９日出願公開、特開平１１−１８７２２１〕について、次のとおり審決する。
【結　論】
　本件審判の請求は、成り立たない。
【理　由】
１．手続の経緯等
　本願は、平成９年１２月１７日の出願であって、その請求項１乃至７に係る発明は、平成１２年１１月１３日付け及び平成１４年１２月２４日付けの各手続補正によって補正された明細書及び図面の記載からみて、特許請求の範囲の請求項１乃至７に記載されたとおりのものと認められるところ、請求項１に係る発明（以下「本願発明」という。）は、次のとおりのものである。
「【請求項１】原稿画像を光電的に読み取る画像読取装置であって、
　読取光の光源と、
　前記原稿を所定の読取位置に保持する保持手段と、
　前記原稿に入射する読取光の光量を調整する光量調整手段と、
　多数の光電変換素子が１方向に配列されてなるラインＣＣＤセンサを、３原色の個々に対応して有するイメージセンサと、
　前記原稿と光学系とを前記ラインＣＣＤセンサの素子配列方向と直交する副走査方向に相対的に移動する走査手段と、
　前記ラインＣＣＤセンサの蓄積時間を前記各ラインＣＣＤセンサ毎に独立に調整する調整手段と
　を有することを特徴とする画像読取装置。」
　
２．引用例
（１）特開昭６４−４１６６号公報
　これに対して、原査定の拒絶の理由に引用された、本願の出願前である昭和６４年１月９日に公開された特開昭６４−４１６６号公報（以下「引用例１」という。）には、次の事項が記載されている。
　（ａ）「（１）透明陰画または陽画を保持する保持装置と、該陰画または陽画を背後から照明する照明装置と、前記透明陰画または陽画の実像を作る結像光学系と、該結像光学系の焦点面上に配置されたイメージセンサとによって構成された装置において、光路内に挿入、退避可能なＮＤフィルターと、前記イメージセンサの電荷蓄積時間を制御する制御手段とを備え、前期ＮＤフィルターの透過光量と、前記イメージセンサの電荷蓄積時間との組合せによって露光量制御を行うことを特徴とする画像読取装置。
　　　　（２）前記イメージセンサは１次元センサであることを特徴とする特許請求の範囲第１項記載の画像読取装置。
　　　・・・（中略）・・・
　　　　（４）前記ＮＤフィルターは照明光路内に挿入されることを特徴とする特許請求の範囲第１項記載の画像読取り装置。
　　　・・・（中略）・・・
　　　　（６）前記ＮＤフィルターは濃度の異なるものが複数備えられ、予備走査による前記透明陰画または透明陽画からの濃度情報に従い、所定の濃度のものを選択して光路内に挿入することを特徴とする特許請求の範囲第１項記載の画像読取り装置。
　　　　（７）前記ＮＤフィルターの濃度は段階的に設定して透過光量を段階的に変化する如く構成し、その各段階内の光量の微調整をセンサの電荷蓄積時間の制御により行うことを特徴とする特許請求の範囲第１項又は第６項記載の画像読取り装置。
　　　　（８）複数枚の色分解用のファルターを備え、該色分解フィルター間の透過率の違いをＮＤフィルターとイメージセンサの電荷蓄積時間の変更との組合せで補正することを特徴とする特許請求の範囲第１項記載の画像読取り装置。
　　　　（９）前記色分解フィルターは画像読取りのシーケンスに従い、それぞれ定められた順番で照明光路内に挿入されることを特徴とする特許請求の範囲第８項記載の画像読取り装置。」（引用例１の１頁下左欄５行〜２頁上左欄７行）
　（ｂ）「第３図に於いて照明用光源１からの照明光束は種々の濃度を有するＮＤフィルターを備えた円板２上のＮＤフィルター部２ａを通過し、コンデンサーレンズ３を経てフィルムホルダー４ａ上のフィルム４を照明する。該フィルム４の像は投影レンズ５によってイメージセンサ６に投影されるが、その光路は途中で反射プリズム３０により直角に曲げられている。該フィルムホルダー４は移動台３２上に固定されており、該移動台は案内軸３３、３４をガイドにし、モータ（不図示）によって駆動される送りネジ３５によって光軸に対し直角な平面内を前記フィルム４が移動可能な構造となっている。
　本実施例での動作を説明すると前記フィルム４がホルダ４ａに装填されると、該フィルム上の画像を予備走査すべく移動体３２は光軸に対し直角な方向に移動する。この予備走査により１次元イメージセンサ６上に順次像が投影されて予備走査が行われ、それに伴う情報により該当するフィルム画像に対する最適光量が決定される。この過程を詳述すると、Ｎｏ１〜Ｎｏ３の３コマの画像の予備走査の結果が第２図のようになったとする。ここでイメージセンサのダイナミックレンジを充分に使って精度の高い読取りを行うにはそれぞれＡ１〜Ｂ１、Ａ２〜Ｂ２、Ａ３〜Ｂ３の出力がＡ１〜Ｃ１、Ａ２〜Ｃ２、Ａ３〜Ｃ３となるように光量を調節してやれば良い。
　しかしここで光量調整をすべてＮＤフィルターで行うとすると、あらゆる濃度の種類が必要となり現実的でない事は前述の通りである。そこで本実施例ではＮＤフィルターの濃度を光学絞りの一段相当のステップで用意すると、Ｎｏ１のコマでは１／２の濃度を有するＮＤフィルターを入れると、センサ出力はＡ１〜Ｃ１となり問題はないがＮｏ２では不足する。
　また、Ｎｏ３のコマでは別なＮＤでは補正できない。そこで、Ｎｏ２の光量不足分、Ｎｏ３の光量不足分をイメージセンサの電荷蓄積時間をそれぞれ２５％、３３％長くすることにより最適な露光状態を実現できることになる。またイメージセンサの特性上、予備走査時には充分な濃度のＮＤフィルターを入れておきセンサ出力の飽和を防止することは必要な事である。
　次に色分解用のカラーフィルターを配置した一実施例を第４図に示す。第４図ではＮＤフィルターの後にカラーフィルター４０ａ、４０ｂ、４０ｃを備えたカラーフィルター円盤４０を配置し、光路内に挿入されたカラーフィルターの透過率の違いを補正するようにＮＤフィルターの濃度とセンサの蓄積時間を決定する。又、イメージセンサを２次元のものに置換しても同様なことが言える。」（引用例１の２頁下右欄６行〜３頁上右欄１６行）
　（ｃ）「２１は本装置をコントロールするコントローラであり、制御情報は入力ポート１９を介してＣＰＵ１１によって読み込まれる。ＣＰＵ１１は本装置全体を制御するＣＰＵである。２５は被写体フィルム４の取り付けられる移動台３２を光軸と直角に移動させるためのステップモータであり、２４はステップモータ２５を駆動するドライバであり２３は駆動パルス発生回路である。１２はプログラマブルカウンタであり、ＣＰＵ１１によって分周比が設定される。１７はクロック発生回路、１６はアドレスカウンタ、１５はＲＯＭである。
　第５図は、第１図のプログラマブルカウンタに、ＲＯＭ１５、アドレスカウンタ１６、クロック発生回路１７の部分を抜き出したものであり、１次元イメージセンサ６に対して蓄積時間を変化させることができる駆動パルスを発生する回路である。」（引用例１の３頁下左欄１７行〜同頁下左欄１２行）
　
　この記載事項によると、引用例１には、
「透明陰画または陽画を保持する保持装置と、該陰画または陽画を背後から照明する照明用光源と、前記透明陰画または陽画の実像を作る結像光学系と、該結像光学系の焦点面上に配置された１次元センサであるイメージセンサと、該保持装置を固定し光軸に対して直角な平面内を移動する移動台とによって構成された装置において、
　光路内に挿入、退避可能なＮＤフィルターと、
　ＮＤフィルターの後に光路内に挿入されるカラーフィルターと、
　前記イメージセンサの電荷蓄積時間を制御する制御手段とを備え、
　前記カラーフィルターの透過率の違いを補正するように、前記ＮＤフィルターの透過光量と、前記イメージセンサの電荷蓄積時間の変更との組合せによって露光量制御を行うことを特徴とする画像読取装置。」
の発明（以下、「引用例１記載の発明」という。）が記載されていると認められる。
　
３．周知例
（１）特開平８−３０７６０１号公報（周知例１）
　（ａ）「【請求項１】　主走査方向に沿って延びた
ＲＧＢ３ラインのリニアイメージセンサを相互に並列的に配置
　各前記リニアイメージセンサの１ライン走査周期を共通的に規定するための１つの第１のタイミング信号と、
各リニアイメージセンサの電荷蓄積時間を個別的に規定する
　各前記リニアイメージセンサによって読み取られた３ライン分の白基準の画像データを、一時的に記憶するラインメモリと、
　前記ラインメモリに記憶された３ライン分の白基準の画像データのそれぞれの出力値が、予め定められた適正範囲内に入るように、各前記第２のタイミング信号の出力状態を、各ライン別にかつ前記第１のタイミング信号とは独立的に制御する制御手段とを備える、画像読取装置。」（周知例１の【特許請求の範囲】）
　（ｂ）「【作用】　請求項１に係る発明では、各リニアイメージセンサによって読み取られた白基準の画像データをラインメモリに記憶しておき、これら３ライン分の白基準の画像データのそれぞれの出力値が、予め定められた適正範囲内に入るように、タイミングジェネレータにおける各第２のタイミング信号の出力状態を、各ライン別にかつ第１のタイミング信号とは独立的に制御するようにしている。これによって、
各リニアイメージセンサにおける電荷蓄積時間が最適化され、各リニアイメージセンサの出力側のＲＧＢバランスが均一化される
　（ｃ）「【００１７】　図３は、上記タイミング信号ＬＳＴ，ＩＧ−Ｒ，ＩＧ−Ｇ，ＩＧ−Ｂを示すタイミングチャートである。図３において、タイミング信号ＬＳＴは、各リニアイメージセンサに共通に与えられる信号であり、１ラインの走査時間を規定する。一方、タイミング信号ＩＧ−Ｒ，ＩＧ−Ｇ，ＩＧ−Ｂは、それぞれ、Ｒ用リニアイメージセンサ，Ｇ用リニアイメージセンサ，Ｂ用リニアイメージセンサに個別的に与えられ、それぞれの
電荷蓄積時間
　（ｄ）「【００２６】【発明の効果】　請求項１の発明によれば、白基準の画像データ読み取り時における各リニアイメージセンサのそれぞれの出力値が、予め定められた適正範囲内に入るように、タイミングジェネレータにおける各第２のタイミング信号の出力状態を、各ライン別にかつ第１のタイミング信号とは独立的に制御するようにしているので、
各リニアイメージセンサにおける電荷蓄積時間が最適化され
　
（２）特開平９−４６４７９号公報（周知例２）
　（ａ）「【特許請求の範囲】
　　【請求項１】　多色原稿を照明する光源と、分光を行って各分光成分についてその受光光量に応じたレベルの電気信号を出力するＣＣＤイメージセンサと、上記多色原稿の照明光束を上記ＣＣＤイメージセンサに結像する結像光学系と、上記光源に対して上記多色原稿を所定の走査方向に相対移動させる走査手段とを備えた画像読取装置において、上記ＣＣＤイメージセンサにおける各分光成分についての蓄積時間を個別調節する蓄積時間調節手段と、この蓄積時間調節手段により調節される各分光成分についての蓄積時間のうち最も長い蓄積時間と同等の停止時間を挟んで上記ＣＣＤイメージセンサによる１ライン分の読取り領域と同等の寸法ずつ上記光源に対して原稿を間欠的に相対移動させるように上記走査手段の作動を制御する走査制御手段とを備えたことを特徴とする画像読取装置。」（周知例２の【特許請求の範囲】）
　（ｂ）「【０００４】【発明が解決しようとする課題】　近年、上記ＣＣＤイメージセンサとして、ブルー、グリーン、レッド（以下、各色をそれぞれＢ，Ｇ，Ｒと称する。）のフィルタを付けた３本のラインセンサを一体化した、いわゆる３ライン型のものが提供されるに至っている。このようなＣＣＤイメージセンサを用いれば、１回の原稿走査で各色の同時読取りが可能になり、効率が飛躍的に高められる。」（周知例２の段落【０００４】）
　（ｃ）「【００１８】　ＣＣＤイメージセンサ１８は、Ｒ，Ｇ，Ｂの各色について設けられた３本のラインセンサ１８Ｒ，１８Ｇ，１８Ｂを一体化したものであり、各ラインセンサ１８Ｒ，１８Ｇ，１８ＢにはＲ，Ｇ，Ｂの各色に分解する分光フィルタがそれぞれ装着され、各フィルタに対応した色成分（分光成分）が各ラインセンサ１８Ｒ，１８Ｇ，１８Ｂに入射されるようになっている。各ラインセンサ１８Ｒ，１８Ｇ，１８Ｂは、入射された光の光量に対応する電荷を蓄積し、この蓄積時間を転送してアナログ電圧に置き換え、出力するものである。Ａ／Ｄコンバータ４４は、上記アナログ電圧をデジタル値に変換して階調補正手段４６に出力するものである。」（周知例２の段落【００１８】）
　（ｄ）「【００２２】　上記ＣＣＤイメージセンサ１８では、各ラインセンサ１８Ｒ，１８Ｇ，１８Ｂの分光感度にバラツキがあり、同じ光量の光が各ラインセンサ１８Ｒ，１８Ｇ，１８Ｂに入射されても、互いに異なる電圧が出力されることになる。そこで、上記蓄積時間設定手段４０ａは、各ラインセンサ１８Ｒ，１８Ｇ，１８Ｂの分光感度のバラツキも見越して、これらラインセンサ１８Ｒ，１８Ｇ，１８Ｂから出力される電圧が全て適正な範囲に収められるような電荷蓄積時間を設定するように構成されている。従って、例えばラインセンサ１８Ｂでの分光感度が最も低い場合には、このラインセンサ１８Ｂについて最も長い電荷蓄積時間が設定されることになる。」（周知例２の段落【００２２】）
　
４．対比
　本願発明と引用例１に記載された発明を対比すると、
　引用例１の「透明陰画または陽画」、「照明用光源」、「ＮＤフィルター」、「移動台」、「制御手段」のそれぞれは、　本願発明の「原稿」、「光源」、「光量調整手段」、「走査手段」、「調整手段」に相当するから、
両者は、
「原稿画像を光電的に読み取る画像読取装置であって、
　読取光の光源と、
　前記原稿を所定の読取位置に保持する保持手段と、
　前記原稿に入射する読取光の光量を調整する光量調整手段と、
　多数の光電変換素子が１方向に配列されてなるラインＣＣＤセンサからなるイメージセンサと、
　前記原稿と光学系とを前記ラインＣＣＤセンサの素子配列方向と直交する副走査方向に相対的に移動する走査手段と、
　ラインＣＣＤセンサの蓄積時間を調整する調整手段
　を有することを特徴とする画像読取装置。」
で一致し、次の点で相違する。
（相違点）
（相違点１）
　イメージセンサが、本願発明では、多数の光電変換素子が１方向に配列されてなるラインＣＣＤセンサを、３原色の個々に対応して有するイメージセンサであるのに対して、引用例１記載の発明では、１次元センサであるイメージセンサであって、３原色の個々に対応してイメージセンサが設けられておらず、カラー化は光路内に３種類のカラーフィルターを挿入して行っている点。
（相違点２）
　調整手段が、本願発明では、ラインＣＣＤセンサの蓄積時間を各ラインＣＣＤセンサ毎に独立に調整する調整手段が設けられているのに対して、引用例１記載の発明では、イメージセンサが３原色の個々に対応して設けられていないから、制御手段はラインＣＣＤセンサの蓄積時間を各ラインＣＣＤセンサ毎に独立に調整することはしておらず、カラーフィルターの透過率の違いを補正するために、ＮＤフィルターの透過光量と、イメージセンサの電荷蓄積時間の変更との組合せによって調整している点。
　
５．当審の判断
　上記相違点について検討すると、
（相違点１）について
　イメージセンサとして、多数の光電変換素子が１方向に配列されてなるラインＣＣＤセンサを、３原色の個々に対応して有するイメージセンサは周知である（例えば、上記周知例１、２等を参照）から、引用例１において、カラーにする場合に、本願発明のように、多数の光電変換素子が１方向に配列されてなるラインＣＣＤセンサを、３原色の個々に対応して有するイメージセンサを設けることは当業者が容易に考えられることである。
（相違点２）について
　引用例１において、カラーフィルターの透過率の違いを補正するために、ＮＤフィルターの透過光量と、イメージセンサの電荷蓄積時間の変更との組合せによって調整することが公知であり、また、イメージセンサとして、３原色のラインＣＣＤセンサを個々に有してそれぞれを独立して制御する共に、電荷蓄積時間を調整してカラーバランスをとることは上記周知例１、２に示したように周知であるから、引用例１において、３原色のカラーフィルターを設ける代わりに、３原色用のラインＣＣＤを設け、それぞれのラインＣＣＤセンサの蓄積時間を各ラインＣＣＤセンサ毎に独立に調整することは当業者が容易に考えられることである。
　
　審判請求人は審判請求書において、引用文献２および３において、３原色の個々の応対して有するラインＣＣＤセンサでの蓄積時間の調整によって色バランスに対応する調整を行っているのは、画像読取装置の機差ばらつき、イメージセンサのＲＧＢ間の色バランスであって、本願発明のように、原稿画像のＲＧＢ等の３原色濃度による色バランスではない、また、各引用文献を組み合わせても、原稿画像毎に原稿画像のＲＧＢ等の３原色濃度によって色バランス調整または補正を行うために、イメージセンサの３ラインＣＣＤセンサの蓄積時間を各ラインＣＣＤセンサ毎に独立に調整する本願発明を容易に想到することはできない旨主張している。
　この、原稿画像のＲＧＢ等の３原色濃度による色バランスの調整という語句は、本願の詳細な説明の段落【０００９】に記載される、いわゆるカラーフェリアを有する場合に、再生画像が色味の不自然な画像となってしまうため、高画質な画像を安定して得るためには、読み取りの際に画像（画像データ）の色バランスを調整することを意味しているものと解される。
　しかし、本願発明（請求項１に係る発明）の記載では、その点は限定されていおらず、さらに、請求項１に記載された発明では、引用例１に周知例１、２の周知技術を組合せたものにおいても、カラーフェリアを有するものの色バランスの調整をすることも可能であると考えられるから、上記主張は採用できない。
　
６．むすび
　したがって、本願発明は、引用例１に記載された発明、及び周知例に記載された技術に基いて当業者が容易に発明をすることができたものであるので、特許法第２９条第２項の規定により特許を受けることができない。
　　よって、結論のとおり審決する。